(57)【要約】【課題】デジタルカメラのような撮影装置から画像サーバに画像データを簡易に送信できるようにする。【解決手段】デジタルカメラ１のメモリカード６に、画像サーバ２のテンポラリ領域のアドレスを一意に表すアドレスＩＤを記録して、ユーザに販売する。デジタルカメラ１により取得した画像データをメモリカード６に記録し、画像サーバ２にアップロードする画像データをユーザが選択する。アップロード時には、アドレスＩＤに基づいて画像サーバ２にアクセスして、アドレスＩＤにより表されるアドレスのテンポラリ領域に画像データを記録する。【選択図】          図１
2004289435.tif 000002
【特許請求の範囲】
【請求項１】
撮影により画像データを取得する撮影手段と、
該撮影手段が取得した画像データおよび所定の画像サーバにおける記録領域のアドレスを一意に表すアドレスＩＤを含む各種情報を記録する、取り外し自在な記録手段と、
前記画像データを含む各種表示を行う表示手段と、
前記記録手段に記録された画像データのうち、前記所定の画像サーバに送信すべき画像データの送信の指示を受け付ける指示受け付け手段と、
前記所定の画像サーバと通信を行う通信手段と、
前記指示受け付け手段が前記画像データの送信の指示を受け付けると、前記送信すべき画像データを前記画像サーバの前記アドレスＩＤにより表されるアドレスに送信するよう前記通信手段を制御する制御手段とを備えたことを特徴とする撮影装置。
【請求項２】
前記指示手段は、前記送信すべき画像データの選択の指示を受け付ける手段であることを特徴とする請求項１記載の撮影装置。
【請求項３】
前記画像データの前記記録手段および前記所定の画像サーバへの記録状況を表すステータステーブルを管理する画像管理手段をさらに備えたことを特徴とする請求項１または２記載の撮影装置。
【請求項４】
前記指示受け付け手段が、画像データの表示の指示を受け付ける手段であり、
前記制御手段は、前記指示受け付け手段が前記画像データの表示の指示を受け付けると、前記ステータステーブルを参照して該表示の指示を受け付けた画像データが前記記録手段および前記画像サーバのいずれに記録されているかを判定し、該表示の指示を受け付けた画像データが前記記録手段に記録されている場合には、該画像データを前記記録手段から読み出し、該表示の指示を受け付けた画像データが前記画像サーバの記録領域に記録されている場合には、前記通信手段を制御して該画像データを前記画像サーバの前記記録領域から読み出して前記表示手段に表示する手段であることを特徴とする請求項３記載の撮影装置。
【請求項５】
前記指示受け付け手段が、前記ステータステーブルの表示の指示を受け付ける手段であり、
前記制御手段は、前記指示受け付け手段が前記ステータステーブルの表示の指示を受け付けると、該ステータステーブルを前記表示手段に表示する手段であることを特徴とする請求項３または４記載の撮影装置。
【請求項６】
前記ステータステーブルが前記記録手段に記録されてなることを特徴とする請求項３から５のいずれか１項記載の撮影装置。
【請求項７】
撮影装置に取り外し可能に取り付けられ、該撮影装置が撮影により取得した画像データを記録する記録装置において、
所定の画像サーバにおける記録領域のアドレスを一意に表すアドレスＩＤを記録してなることを特徴とする記録装置。
【発明の詳細な説明】
【０００１】
【発明の属する技術分野】
本発明は、撮影により取得した画像データを画像サーバに送信するための通信機能を備えた撮影装置に関するものである。
【０００２】
【従来の技術】
近年、撮影した画像データを送信するために通信機能を有するデジタルカメラが提案されている（特許文献１参照）。このようなデジタルカメラにおいては、撮影した画像データを一旦メモリに記録してデジタルカメラが有する液晶モニタに表示したり、電子メールに添付して友人に送信することができる。また、画像データの保管管理を行うミニラボ店の画像サーバに画像データを送信して画像データを一旦保管した後、パソコン等から画像サーバにアクセスして画像を閲覧したり、アルバムを作成したり、画像データに画像処理を施したり、ミニラボ店に対して画像データのプリント注文を行うこともできる。
【０００３】
またこのような通信機能を有するデジタルカメラから画像データを画像サーバに送信する際に、デジタルカメラの使用者の識別情報に応じて画像データを分類して保管するとともに、デジタルカメラには送信した画像データのサムネイル画像を保管するようにしたシステムも提案されている（特許文献２参照）。また、画像サーバが送信された画像データのサムネイル画像データを生成し、サムネイル画像データをデジタルカメラに送信してデジタルカメラにおいてはサムネイル画像データのみを保管するようにしたシステムも提案されている（特許文献３参照）。これらのシステムによれば、デジタルカメラのメモリカードの容量を確保できるとともに、撮影により取得した全ての画像データをサムネイル画像により確認できる。さらに、特許文献２のシステムにおいては、デジタルカメラの使用者の識別情報に応じて画像データを検索できるため、画像サーバからの画像データのダウンロードが容易となる。
【０００４】
【特許文献１】
特開２０００−１５２０５２号公報
【０００５】
【特許文献２】
特開２００２−１８３１６７号公報
【０００６】
【特許文献３】
特開２０００−３５０１７４号公報
【０００７】
【発明が解決しようとする課題】
しかしながら、上記特許文献２．３に記載されたシステムにおいては、画像サーバにおいてデジタルカメラが送信した画像データのサムネイル画像を生成する必要があり、また、画像サーバに送信した画像データの数が増えると、サムネイル画像の数も増えるため、メモリカードの使用容量が大きくなる。また、画像サーバに送信した画像データを検索するためには、デジタルカメラの使用者の認証を行う必要があるため、デジタルカメラの使用者のＩＤやパスワードを入力および送信する必要があり、その作業が面倒である。
【０００８】
本発明は上記事情に鑑みなされたものであり、デジタルカメラのような撮影装置から画像サーバに画像データを簡易に送信できるようにすることを目的とする。
【０００９】
【課題を解決するための手段】
本発明による撮影装置は、撮影により画像データを取得する撮影手段と、
該撮影手段が取得した画像データおよび所定の画像サーバにおける記録領域のアドレスを一意に表すアドレスＩＤを含む各種情報を記録する、取り外し自在な記録手段と、
前記画像データを含む各種表示を行う表示手段と、
前記記録手段に記録された画像データのうち、前記所定の画像サーバに送信すべき画像データの送信の指示を受け付ける指示受け付け手段と、
前記所定の画像サーバと通信を行う通信手段と、
前記指示受け付け手段が前記画像データの送信の指示を受け付けると、前記送信すべき画像データを前記画像サーバの前記アドレスＩＤにより表されるアドレスに送信するよう前記通信手段を制御する制御手段とを備えたことを特徴とするものである。
【００１０】
通信手段としては、無線により通信を行うものおよび有線により通信を行うもののいずれをも用いることができる。また、無線により通信としては、携帯電話通信網によるもの、無線ＬＡＮによるもの等を用いることができる。
【００１１】
「一意に」とは、所定の画像サーバに生成された複数の記録領域のいずれかのアドレスと１対１に対応付けられてなることをいう。したがって、ある記録手段に記録されたアドレスＩＤは他の記録手段に記録されたアドレスＩＤとは重複せず、その記録手段に固有のものとなる。
【００１２】
なお、本発明による撮影装置においては、前記指示手段を、前記送信すべき画像データの選択の指示を受け付ける手段としてもよい。
【００１３】
また、本発明による撮影装置においては、前記画像データの前記記録手段および前記所定の画像サーバへの記録状況を表すステータステーブルを管理する画像管理手段をさらに備えるものとしてもよい。
【００１４】
また、本発明による撮影装置においては、前記指示受け付け手段を、画像データの表示の指示を受け付ける手段とし、
前記制御手段を、前記指示受け付け手段が前記画像データの表示の指示を受け付けると、前記ステータステーブルを参照して該表示の指示を受け付けた画像データが前記記録手段および前記画像サーバのいずれに記録されているかを判定し、該表示の指示を受け付けた画像データが前記記録手段に記録されている場合には、該画像データを前記記録手段から読み出し、該表示の指示を受け付けた画像データが前記画像サーバの記録領域に記録されている場合には、前記通信手段を制御して該画像データを前記画像サーバの前記記録領域から読み出して前記表示手段に表示する手段としてもよい。
【００１５】
また、本発明による撮影装置においては、前記指示受け付け手段を、前記ステータステーブルの表示の指示を受け付ける手段とし、
前記制御手段を、前記指示受け付け手段が前記ステータステーブルの表示の指示を受け付けると、該ステータステーブルを前記表示手段に表示する手段としてもよい。
【００１６】
また、本発明による撮影装置においては、前記ステータステーブルが前記記録手段に記録されてなるものとしてもよい。
【００１７】
本発明による記録装置は、撮影装置に取り外し可能に取り付けられ、該撮影装置が撮影により取得した画像データを記録する記録装置において、
所定の画像サーバにおける記録領域のアドレスを一意に表すアドレスＩＤを記録してなることを特徴とするものである。
【００１８】
【発明の効果】
本発明によれば、指示受け付け手段が送信すべき画像データの送信の指示を受け付けると、制御手段が送信すべき画像データを画像サーバのアドレスＩＤにより一意に表されるアドレスに送信する。画像サーバにおいてはこのアドレスに画像データが記録される。ここで、画像サーバの記録領域のアドレスはアドレスＩＤにより一意に表されるため、そのアドレスＩＤが記録された記録手段を使用する者以外はそのアドレスが分からないはずである。このため、所定の画像サーバのある記録領域は、その記録領域のアドレスを表すアドレスＩＤを記録した記録手段を有する者のみが画像データを記録する権限を有するものとなる。したがって、画像サーバは、アドレスが指定されて画像データが送信された場合には、その画像データの送信者の認証を行う必要がなくなる。また、本発明による撮影装置の所持者は、記録手段に記録されたアドレスＩＤにより表されるアドレスを指定して画像データの送信の指示を行うのみで、何ら自身を認証のための作業を行うことなく画像データを所定の画像サーバに送信して、記録手段に記録されているアドレスＩＤにより表されるアドレスの記録領域に画像データを記録することができる。
【００１９】
また、画像データの記録手段および所定の画像サーバへの記録状況を表すステータステーブルを管理することにより、撮影した画像データが記録手段に記録されているか、所定の画像サーバの記録領域に記録されているかをステータステーブルを参照するのみで容易に把握できる。
【００２０】
また、画像データの表示の指示を受け付けると、ステータステーブルを参照して、表示の指示があった画像データが記録手段および画像サーバの記録領域のいずれに記録されているかを判定し、記録手段に記録されている場合にはその画像データを記録手段から読み出し、画像サーバの記録領域に記録されている場合には通信手段を制御してその画像データを画像サーバの記録領域から読み出すようにすれば、画像データの記録場所に拘わらず画像データを表示手段に表示することができる。
【００２１】
また、ステータステーブルを表示手段に表示することにより、画像データの記録手段および所定の画像サーバの記録領域への記録状況を容易に認識することができる。
【００２２】
また、ステータステーブルを記録手段に記録しておけば、記録手段をパソコン等の撮影装置以外の装置にセットしてステータステーブルを参照することができ、パソコン等において撮影装置が撮影した画像データの記録手段および画像サーバの記録領域からの取り込み等を行うことができる。
【００２３】
【発明の実施の形態】
以下図面を参照して本発明の実施形態について説明する。図１は本発明の実施形態による撮影装置であるデジタルカメラを用いた画像管理システムの概略図である。図１に示すように、本実施形態による画像管理システムは、無線通信機能を有するデジタルカメラ１と、デジタルカメラ１が取得した画像データを保管管理する画像サーバ２と、デジタルカメラ１のユーザのパソコン３とがネットワーク４を介して接続されてなる。
【００２４】
なお、デジタルカメラ１、画像サーバ２およびパソコン３のネットワーク４への接続は有線であってもよいが、デジタルカメラ１は例えば無線ＬＡＮを用いて無線によりネットワーク４に接続されてなることが好ましい。図１においては、デジタルカメラ１とネットワーク４との接続が無線であることを示している。この場合、デジタルカメラ１は無線ＬＡＮ通信機器が設置されているホットスポットにおいて無線ＬＡＮによる通信を行ってネットワーク４に接続する。
【００２５】
デジタルカメラ１は、取得した画像データを記録するメモリカード６を有する。メモリカード６は、半導体、磁気記録および光記録に代表される着脱可能な記録媒体である。また、メモリカード６には、画像サーバ２における画像データを記録するテンポラリ領域のアドレスを一意に表すアドレスＩＤが記録されている。アドレスＩＤはテンポラリ領域のアドレスと１対１に対応付けられているものであり、例えば「ｈｔｔｐ：／／ｗｗｗ．ｔｅｍｐ／００１／」がアドレスＩＤとしてメモリカード６に記録される。
【００２６】
なお、メモリカード６は画像サーバ２に生成されたテンポラリ領域Ｔ１，Ｔ２，Ｔ３…のうちのいずれか１つのテンポラリ領域のアドレスを表すアドレスＩＤが記録された状態でデジタルカメラ１のユーザに販売される。このため、あるメモリカード６に記録されたアドレスＩＤは、そのメモリカード６以外のメモリカードには重複して記録されないこととなり、これにより、メモリカード６を購入したユーザは、他人にアドレスを知られない限り、メモリカード６に記録されたアドレスＩＤをアドレスとする画像サーバ２のいずれかのテンポラリ領域に画像データをアップロードして記録することができる。
【００２７】
パソコン３はメモリカード６に記録された画像データを読み出すためのカードスロットル３Ａを有しており、ここにメモリカード６をセットすることにより、メモリカード６に記録された画像データおよび各種情報を読み出すことができる。また、パソコン３にはウェブブラウザがインストールされており、読み出したアドレスＩＤにより表されるアドレスを有する画像サーバ２のテンポラリ領域にアクセスして、そのテンポラリ領域に記録された画像データをダウンロードできる。
【００２８】
図２はデジタルカメラの外観斜視図である。図２に示すように、デジタルカメラ１には、被写体像を撮像部に結像させる撮影レンズ１２と、画像データおよびコマ番号等の各種情報を表示する液晶ディスプレイ（ＬＣＤ）１４と、デジタルカメラ１の起動および停止を入力する電源スイッチ１６と、デジタルカメラ１のユーザＵ０が撮影を指示するレリーズボタン１８と、デジタルカメラ１に備えられている撮影モード、再生モード等の各種のモードを切り替えて設定するモード切替ダイヤル２０と、ＬＣＤ１４に表示されている画像データを画像サーバ２に送信すべき画像データとして選択する際に押下する選択ボタン２２と、画像データを画像サーバ２にアップロードする際に押下するアップロードボタン２４と、ＬＣＤ１４に表示されているコマ番号のインクリメント、デクリメントおよびメニューの選択等を行う場合に操作する上下左右キー２８と、無線による通信を行うアンテナ３０とが設けられている。なお、選択ボタン２２は、それを押す毎に画像データの送信の選択および非選択が切り替えられる。
【００２９】
図３は本発明の実施形態による撮影装置であるデジタルカメラの信号処理系のブロック図である。図３に示すように、本実施形態によるデジタルカメラ１には、被写体像を受光面に結像させて光電変換し、画像データとして出力する撮像部４０と、デジタルカメラ１全体の制御を行うとともに画像データのサンプリングタイミング制御、画像データの記録制御、通信制御および表示制御等の制御を行うＣＰＵ４２と、画像サイズの変更、シャープネス補正、ガンマ補正、コントラスト補正およびホワイトバランス補正等の処理を行う信号処理部４４と、アナログ情報の画像データをデジタルの画像データに変換するＡ／Ｄ変換器４６と、ストロボ４８と、ストロボ４８の操作を制御するストロボ制御部５０と、種々の指示をデジタルカメラ１に対して行うための入力部５２と、入力部５２の設定情報を入力するインターフェースであるＩ／Ｏ５４とが設けられている。
【００３０】
また、デジタルカメラ１には、画像データをＪＰＥＧやモーションＪＰＥＧに代表される手法で圧縮したり、圧縮した画像データを解凍する圧縮解凍部５６と、メモリカードスロット５８に着脱可能に装着されたメモリカード６に画像データを記録したり読み出したりするために画像データを変換するカードインターフェース６２とが設けられている。
【００３１】
また、デジタルカメラ１には、ＣＰＵ４２の動作プログラム等のソフトウェアや各種定数が記録されているＲＯＭおよびＣＰＵ４２が処理を実行する際の作業領域となるＲＡＭにより構成されるシステムメモリ６４と、デジタルカメラ１の各種設定定数を電源遮断後も記録し続けることが可能な書き替え可能な不揮発性メモリ６６と、タイマ撮影時に駆動されるタイマ６８と、現在の時刻を刻むカレンダ時計７０と、各種情報を無線通信によって送受信する場合に用いる無線インターフェース７２と、画像データをＬＣＤ１４に表示するためのＤ／Ａ変換等を行うＬＣＤ制御部７４と、ＣＰＵ４２から指令される表示用の画像データを一時的に記録しておくＶＲＡＭ等で構成されているフレームメモリ７６と、ＣＰＵ４２から指令されるコード情報を表示する文字やメッセージデータに変換して画像とともにオンスクリーンディスプレイするＯＳＤ７８とが設けられている。なお、電力を各部へ供給するバッテリ８４も設けられている。
【００３２】
そしてＣＰＵ４２がシステムメモリ６４から各種プログラムを読み出して実行することにより、ＣＰＵ４２が制御手段および画像管理手段として機能する。
【００３３】
ユーザは、撮影により取得してメモリカード６に記録した画像データをＬＣＤ１４に表示して、画像サーバ２のテンポラリ領域に記録するか否かを選択する。すなわち、図２に示すように画像データをＬＣＤ１４に表示して、上下左右キー２８の左キーを押下することにより画像データの番号をデクリメントし、右キーを押下することにより画像データの番号をインクリメントして表示する画像データを変更する。そして、画像サーバ２のテンポラリ領域への記録を所望する画像データが表示されたときに選択ボタン２２を押下することにより、その画像データを画像サーバ２のテンポラリ領域にアップロードする画像データとして選択する。選択されていることの状態については後述する。なお、選択を取り消したい場合には、選択を取り消したい画像データをＬＣＤ１４に表示して、再度選択ボタン２２を押下すればよい。
【００３４】
ここで、撮影により画像データを取得すると、画像データの記録状況を表すステータステーブルが生成されてメモリカード６に記録される。図４はステータステーブルを示す図である。図４に示すようにステータステーブルＴＢＬ１は、画像データを管理する管理番号（ＳｅｑＩＤ）、画像データを画像サーバ２のテンポラリ領域に記録した場合に想定される画像データの記録先のＵＲＬ、および画像データの記録状況を表すステータス（Ｓｔａｔｕｓ）を含む。
【００３５】
ステータスは、０がメモリカード６に記録されていることを、１が画像サーバ２のテンポラリ領域にアップロードするよう選択されていることを、２がすでに画像サーバ２にアップロードしてテンポラリ領域に記録されていることを表す。
【００３６】
なお、ユーザは、入力部５２から指示を行うことにより、メモリカード６に記録されたステータステーブルＴＢＬ１をＬＣＤ１４に表示することが可能である。これにより、ステータステーブルＴＢＬ１を参照して、画像データの記録状況を確認することができる。
【００３７】
次いで、本実施形態において行われる処理について説明する。図５は、本実施形態において画像データを画像サーバ２にアップロードする際に行われる処理を示すフローチャートである。なお、ユーザはすでに画像サーバ２にアップロードする画像データの選択を終了しているものとし、メモリカード６にはテンポラリ領域Ｔ１のアドレスを表すアドレスＩＤが記録されているものとする。ＣＰＵ４２は、アップロードボタン２４が押下されたか否かを監視しており（ステップＳ１）、ステップＳ１が肯定されるとメモリカード６に記録されたステータステーブルＴＢＬ１を参照してメモリカード６に記録されている全ての画像データのステータスを認識する（ステップＳ２）。そして、ステータスが１となっている画像データをメモリカード６から読み出し（ステップＳ３）、さらにメモリカードからアドレスＩＤを読み出す（ステップＳ４）。そしてアドレスＩＤにより表されるアドレスを参照して画像サーバ２にアクセスし（ステップＳ５）、そのアドレスを有するテンポラリ領域Ｔ１に画像データをアップロードし（ステップＳ６）、処理を終了する。
【００３８】
この際、画像データがアップロードされるのはメモリカード６に記録されたテンポラリ領域を一意に表すアドレスが指定された画像データであるため、画像サーバ２は認証を行うことなく、画像データのアップロードを受け付けて、画像データを指定されたアドレスのテンポラリ領域Ｔ１に記録する。
【００３９】
図６はデジタルカメラ１を用いての画像の閲覧時に行われる処理を示すフローチャートである。ＣＰＵ４２は入力部５２から閲覧の指示がなされたか否かを監視しており（ステップＳ１１）、ステップＳ１１が肯定されると、ファイル番号が最大の画像データすなわち最も新しい画像データをＬＣＤ１４に表示する画像データとして設定し（ｎ＝ｍａｘ、ステップＳ１２）、ステータステーブルＴＢＬ１を参照して、表示しようとする画像データがメモリカード６および画像サーバ２のテンポラリ領域Ｔ１のいずれに記録されているかを判定する（ステップＳ１３）。
【００４０】
メモリカード６に画像データが記録されていると判定されると、ＣＰＵ４２はメモリカード６から画像データを読み出す（ステップＳ１４）。一方、画像サーバ２のテンポラリ領域Ｔ１に画像データが記録されていると判定されると、ＣＰＵ４２はメモリカード６に記録されたアドレスＩＤにより表されるアドレスを参照して画像サーバ２にアクセスし（ステップＳ１５）、そのアドレスを有するテンポラリ領域Ｔ１から画像データをダウンロードする（ステップＳ１６）。
【００４１】
続いてＣＰＵ４２は読み出した画像データをＬＣＤ１４に表示する（ステップＳ１７）。そして、ユーザが入力部５２から閲覧終了の指示を行ったか否かを判定し（ステップＳ１８）、ステップＳ１８が肯定されると処理を終了する。ステップＳ１８が否定されると、次画像の表示の指示がなされたか否かを判定し（ステップＳ１９）、ステップＳ１９が否定されるとステップＳ１８に戻る。ステップＳ１９が肯定されると、ｎ＝ｎ−１とするまたはｎ＝ｎ＋１に設定し（ステップＳ２０）、ステップＳ１３に戻ってステップＳ１３以降の処理を繰り返す。なお、ｎ＝ｍａｘの場合においてｎ＝ｎ＋１に設定された場合は、ｎ＝１とする。
【００４２】
次に、メモリカード６をデジタルカメラ１から外して、パソコン３のカードリーダ３Ａにセットして、パソコン３にデジタルカメラ１により取得した画像データを取り込む場合の処理について説明する。図７は、パソコン３にデジタルカメラ１により取得した画像データを取り込む際に行われる処理を示すフローチャートである。なお、ここではメモリカード６はパソコン３のカードリーダ３Ａにセットされているものとする。
【００４３】
まず、パソコン３はメモリカード６からの画像データの取り込みが指示されたか否かを監視しており（ステップＳ３１）、ステップＳ３１が肯定されると、メモリカード６からステータステーブルＴＢＬ１を読み出す（ステップＳ３２）。そして、ステータステーブルＴＢＬ１を参照して、メモリカード６から画像データを読み出すとともに（ステップＳ３３）、画像サーバ２のテンポラリ領域Ｔ１に記録されている画像データをダウンロードすべく、メモリカード６に記録されたアドレスＩＤにより表されるアドレスを参照して画像サーバ２にアクセスし（ステップＳ３４）、そのアドレスを有するテンポラリ領域Ｔ１から画像データをダウンロードする（ステップＳ３５）。なお、ステップＳ３４，Ｓ３５の処理を先に行ってもよく、ステップＳ３３およびステップＳ３４，Ｓ３５の処理を並列に行ってもよい。
【００４４】
そして、メモリカード６から読み出した画像データおよび画像サーバ２のテンポラリ領域Ｔ１からダウンロードした画像データを記録するためのフォルダをパソコン３のハードディスク（不図示）に作成し（ステップＳ３６）、作成したフォルダに画像データを記録して（ステップＳ３７）処理を終了する。
【００４５】
この際、記録する画像データのタグ情報に記述された撮影日時情報を参照し、最も古い撮影日時および最も新しい撮影日時を用いて、画像データを記録するフォルダのフォルダ名を設定する。例えば、最も古い撮影日時が２００２年１２月５日１３時であり、最も新しい撮影日時が２００２年１２月５日１７時である場合には、フォルダ名を「２００２１２０５＿１３：００−２００２１２０５＿１７：００」のフォルダを作成し、ここに画像データを記録する。
【００４６】
以上説明したように、画像サーバ２のテンポラリ領域のアドレスはアドレスＩＤにより一意に表されるため、そのアドレスＩＤが記録されたメモリカード６を使用する者以外はそのアドレスが分からないはずである。このため、画像サーバ２のあるテンポラリ領域は、そのテンポラリ領域のアドレスを表すアドレスＩＤを記録したメモリカード６を有する者のみが画像データを記録する権限を有するものとなる。したがって、画像サーバ２は、アドレスが指定されて画像データがアップロードされた場合には、その画像データの送信者の認証を行う必要がなくなる。また、デジタルカメラ１の所持者は、メモリカード６に記録されたアドレスＩＤにより表されるアドレスを指定して画像データのアップロードの指示を行うのみで、何ら自身を認証のための作業を行うことなく画像データを画像サーバ２に送信して、メモリカード６に記録されているアドレスＩＤにより表されるアドレスのテンポラリ領域に画像データを記録することができる。
【００４７】
また、ステータステーブルＴＢＬ１により、デジタルカメラ１により取得した画像データの記録状況を管理しているため、ステータステーブルＴＢＬ１を参照すれば、撮影により取得した画像データがメモリカード６に記録されているか、画像サーバ２のテンポラリ領域に記録されているかをステータステーブルＴＢＬ１を参照するのみで容易に把握できる。
【００４８】
また、画像データのＬＣＤ１４への表示の指示を受け付けると、ステータステーブルＴＢＬ１を参照して、表示の指示があった画像データがメモリカード６および画像サーバ２のテンポラリ領域のいずれに記録されているかを判定して、メモリカード６に記録されている場合にはメモリカード６から画像データを読み出し、画像サーバ２のテンポラリ領域に記録されている場合にはテンポラリ領域から画像データを読み出すようにしたため、画像データの記録場所に拘わらず、表示の指示があった画像データをＬＣＤ１４に表示することができる。
【００４９】
また、ステータステーブルＴＢＬ１をＬＣＤ１４に表示することにより、画像データの記録状況を容易に認識することができる。
【００５０】
また、ステータステーブルＴＢＬ１をメモリカード６に記録しているため、メモリカード６をパソコン３にセットしてステータステーブルＴＢＬ１を参照することができ、これによりパソコン３においてデジタルカメラ１が取得した画像データの取り込み等を行うことができる。
【００５１】
なお、上記実施形態においては、パソコン３に画像データを取り込む際に、画像データの最も新しい撮影日時および最も古い撮影日時に基づいてフォルダ名を設定しているが、撮影日時以外のデジタルカメラ１のメーカー、機種名等を用いてフォルダ名を設定してもよい。
【００５２】
また、上記実施形態においては、選択ボタン２２を押下することにより、画像サーバ２に送信する画像データを選択しているが、予め画像サーバ２に送信するための送信条件をデジタルカメラ１において設定しておき、撮影により取得した画像データが送信条件に適合する場合に、ステータステーブルＴＢＬ１のステータスを１に設定して、その画像データを画像サーバ２にアップロードしてもよい。ここで、送信条件としては、撮影後所定期間経過したこと、人物を含まない画像であること、ピンボケの画像であること等を用いることができる。
【図面の簡単な説明】
【図１】本発明の実施形態による撮影装置であるデジタルカメラを用いた画像管理システムの概略図
【図２】デジタルカメラの外観斜視図
【図３】デジタルカメラの信号処理系のブロック図
【図４】ステータステーブルを示す図
【図５】本実施形態において画像データを画像サーバのテンポラリ領域にアップロードする際に行われる処理を示すフローチャート
【図６】デジタルカメラを用いての画像の閲覧時に行われる処理を示すフローチャート
【図７】パソコンにデジタルカメラにより取得した画像データを取り込む際に行われる処理を示すフローチャート
【符号の説明】
１    デジタルカメラ
２    画像サーバ
３    パソコン
４    ネットワーク
６    メモリカード
１４    ＬＣＤ
２２    選択ボタン
２４    アップロードボタン
２８    上下左右キー
３０    アンテナ
４０    撮像部
４２    ＣＰＵ
５２    入力部
６４    システムメモリ
６６    不揮発性メモリ
７２    無線インターフェース
【図１】
2004289435.tif 000003
【図２】
2004289435.tif 000004
【図３】
2004289435.tif 000005
【図４】
2004289435.tif 000006
【図５】
2004289435.tif 000007
【図６】
2004289435.tif 000008
【図７】
2004289435.tif 000009